(57)【要約】【課題】輸送の際の湿気を適切に防ぐことが可能な梱包材を提供すること。【解決手段】被梱包物（２）を収容するシートで形成された袋体（１１）と、袋体の通気孔（１１１）に配設されたフィルター（１２）とを備え、フィルターは、通気孔を塞ぐように配設され空気は通すが水及び塵埃の進入を防止する多孔質フィルム（１２２）と、多孔質フィルムの内側において多孔質フィルムの全面を覆うように形成され、多孔質フィルムを通過して進入する湿気を吸収する除湿層（１２３）と、を備える構成とした。【選択図】図２
2014141260.tif 000002
【特許請求の範囲】
【請求項１】
梱包材であって、梱包時には密封されて被梱包物を収容するシートで形成された袋体と、梱包時に該袋体の内外を通気するために該袋体に形成された通気孔と、該通気孔に配設されたフィルターと、から構成され、
該フィルターは、該通気孔を塞ぐように配設され空気は通すが水及び塵埃の進入を防止する多孔質フィルムと、該多孔質フィルムの内側に該多孔質フィルム全面を覆って形成され該多孔質フィルムを通過して進入する湿気を吸収する除湿層と、から構成されている梱包材。
【発明の詳細な説明】
【技術分野】
【０００１】
本発明は、精密機器などの梱包に使用される梱包材に関する。
【背景技術】
【０００２】
半導体デバイスの製造に使用されるレーザー発振器などの精密機器は、極めて高い精度で製造されている。そのため、輸送の際に衝撃を受けたり、塵や埃などが付着したりすると、期待される性能を発揮できなくなる恐れがある。一般には、ビニールシートや衝撃吸収材などで梱包してから、木箱や段ボール箱などの輸送容器に収容することで、輸送の際に精密機器を保護している。
【０００３】
しかしながら、気密性の高いビニールシートなどの梱包材で梱包して、空輸などの方法で精密機器を輸送すると、梱包材の内外に生じる気圧差で梱包材は破損する。気圧差による破損を防ぐために梱包材に孔を開けることも考えられるが、この方法では、精密機器への塵や埃の付着を完全に防ぐことはできない。そこで、多孔質フィルムによるフィルター（例えば、特許文献１参照）を梱包材の通気孔に取り付け、塵や埃の付着を防いだ上で、梱包材の内外に生じる気圧差を緩和する構成が検討されている。
【先行技術文献】
【特許文献】
【０００４】
【特許文献１】特開２００９−７８８６６号公報
【発明の概要】
【発明が解決しようとする課題】
【０００５】
ところで、上述の精密機器は、湿気に対して弱いことが多い。例えば、半導体デバイスの製造に使用されるレーザー発振器では、僅かな湿度の上昇で不具合が発生してしまうこともある。上述した多孔質フィルムによるフィルターは、空気と共に水蒸気を通過させてしまうので、輸送の際の湿気を防ぐ目的には有効でない。
【０００６】
本発明はかかる点に鑑みてなされたものであり、輸送の際の湿気を適切に防ぐことが可能な梱包材を提供することを目的とする。
【課題を解決するための手段】
【０００７】
本発明の梱包材は、梱包材であって、梱包時には密封されて被梱包物を収容するシートで形成された袋体と、梱包時に該袋体の内外を通気するために該袋体に形成された通気孔と、該通気孔に配設されたフィルターと、から構成され、該フィルターは、該通気孔を塞ぐように配設され空気は通すが水及び塵埃の進入を防止する多孔質フィルムと、該多孔質フィルムの内側に該多孔質フィルム全面を覆って形成され該多孔質フィルムを通過して進入する湿気を吸収する除湿層と、から構成されていることを特徴とする。
【０００８】
この構成によれば、空気を通し、水（液体）及び塵埃の進入を防止する多孔質フィルムと、多孔質フィルムを通過して進入する湿気（気体、水蒸気）を吸収する除湿層とを備えるフィルターを、被梱包物を収容する袋体の通気孔に配設するので、袋体内部への水及び塵埃の進入、並びに湿気の進入を防止できる。よって、袋体内部の高湿化を防止できる。
【発明の効果】
【０００９】
本発明によれば、輸送の際の湿気を適切に防ぐことが可能な梱包材を提供できる。
【図面の簡単な説明】
【００１０】
【図１】本実施の形態に係る梱包材の全体構成を示す模式図である。
【図２】本実施の形態に係る梱包材に使用されるフィルターの構成例を示す断面模式図である。
【図３】フィルターの変形例を示す断面模式図である。
【発明を実施するための形態】
【００１１】
以下、添付図面を参照して、本発明の実施の形態について説明する。なお、以下においては、レーザー発振器などの精密機器の梱包に使用される梱包材の例を示すが、本発明に係る梱包材の用途は特に限定されない。
【００１２】
図１は、本実施の形態に係る梱包材の全体構成を示す模式図である。図１では、レーザー発振器などの被梱包物２を梱包する梱包材１を示している。図１に示すように、梱包材１は、略直方体状の被梱包物２を包む袋体１１と、袋体１１に取り付けられたフィルター１２とを備えている。なお、被梱包物２の形状は特に限定されず、球状、板状などでも良い。
【００１３】
袋体１１は、ポリ塩化ビニルやポリエチレンなどの合成樹脂によるシート（フィルム）を袋状に加工したものであり、塵や埃に加え、水や油分（液体）、空気や水蒸気（気体）などを通過させないように構成されている。被梱包物２の梱包においては、袋体１１の口部（不図示）から被梱包物２を袋体１１に挿入し、当該口部をヒートシール（熱シール）などの方法で閉じる。このように、被梱包物２を包むようにして袋体１１を密封することで、被梱包物２への塵や埃、水や油分などの付着を防止できる。
【００１４】
図２は、本実施の形態に係る梱包材に使用されるフィルターの構成例を示す断面模式図である。図１及び図２に示すように、フィルター１２は、両端部に開口部１２１ａ，１２１ｂを有する円筒状の筐体１２１を備えている。筐体１２１は、袋体１１と同様に、塵や埃、水や油分（液体）、空気や水蒸気（気体）などを通過させないように構成されている。筐体１２１は、一端側の開口部１２１ａが袋体１１の外側に露出され、他端側の開口部１２１ｂが袋体１１の内側に位置付けられるよう、袋体１１の通気孔１１１に固定されている。筐体１２１の外周部１２１ｃは、通気孔１１１の内周部に隙間なく接着されている。
【００１５】
図２に示すように、筐体１２１の開口部１２１ａには、開口部１２１ａを塞ぐ多孔質フィルム１２２が設けられている。多孔質フィルム１２２は、空気や水蒸気（気体）などを通過させ、水や油分（液体）、塵や埃（固体）などを通過させない微細な孔を有するフィルム（シート）である。このような多孔質フィルム１２２として、例えば、ＰＴＦＥ（ポリテトラフルオロエチレン）、ポリクロロトリフルオロエチレン、テトラフルオロエチレン−ヘキサフルオロプロピレン共重合体、テトラフルオロエチレン−エチレン共重合体などのフッ素樹脂で形成されたフィルムを用いることができる。
【００１６】
上述のように、フィルター１２の開口部１２１ａは、多孔質フィルム１２２で塞がれている。よって、塵や埃（固体）、水や油分（液体）などがフィルター１２を通じて袋体１１の内部に進入することはない。一方で、多孔質フィルム１２２は気体を通過させるので、袋体１１を密封してもフィルター１２を通じて空気が出入し、袋体１１の内部と外部との気圧差は緩和される。このため、輸送の際の気圧差に起因する梱包材１の破損を防止できる。
【００１７】
ところで、空気中の水分（湿気、水蒸気）は、空気と共に多孔質フィルムを通過し、袋体の内部に進入してしまう。そのため、多孔質フィルムで構成されるフィルターを備えた梱包材を使用する場合、湿気に弱い被梱包物の輸送において問題となる。例えば、半導体デバイスの製造に使用されるレーザー発振器などでは、僅かな湿度の上昇で不具合が発生してしまうこともある。そこで、本実施の形態に係る梱包材１では、多孔質フィルム１２２を通過して袋体１１に流れ込む空気の流路に除湿層１２３を配置する。
【００１８】
筐体１２１の開口部１２１ｂには、空気を通過させるネット１２４が設けられている。筐体１２１内において多孔質フィルム１２２とネット１２４とで挟まれる領域には、シリカゲルなどの乾燥剤による除湿層１２３が配置されている。具体的には、除湿層１２３は、多孔質フィルム１２２及びネット１２４の全面を覆うように形成されている。ネット１２４の網目は、除湿層１２３が筐体１２１から脱落しない程度に細かくなっている。
【００１９】
図２において矢印Ａで示すように、多孔質フィルム１２２を通過した空気は、筐体１２１内の除湿層１２３を通じて袋体１１の内部へと供給される。この時、空気中の湿気は除湿層１２３で除去されるので、十分に乾燥した空気が袋体１１の内部へと流れ込む。その結果、袋体１１内の湿度は十分に低く維持される。袋体１１の内部の任意の位置に乾燥剤を配置する構成では、通気孔１１１の周辺で局所的に高湿化されてしまう恐れもあるが、本実施の形態の構成では、袋体１１の内部へと流れ込む空気は、除湿層１２３で必ず除湿されるので、そのような心配もない。
【００２０】
なお、筐体１２１は、筐体１２１内を流れる空気の流路が十分に長くなるよう、所定の高さ（開口部１２１ａから開口部１２１ｂまでの距離に相当）を有している。そのため、多孔質フィルム１２２を通じて筐体１２１内に流れ込んだ空気は、筐体１２１内を流れる間に適切に除湿される。また、筐体１２１は、空気を通過させないように構成されているので、図２において矢印Ｂで示すような空気の流れが生じることはない。よって、多孔質フィルム１２２を通じて筐体１２１内に流れ込んだ空気を、除湿層１２３で適切に除湿できる。
【００２１】
このように、本実施の形態に係る梱包材１においては、空気を通し、水（液体）及び塵埃の進入を防止する多孔質フィルム１２２と、多孔質フィルム１２２を通過して進入する湿気（気体、水蒸気）を吸収する除湿層１２４とを備えるフィルター１２を、被梱包物２を収容する袋体１１の通気孔１１１に配設するので、袋体１１内部への水（液体）及び塵埃の進入、並びに湿気（水蒸気）の進入を防止できる。よって、袋体１１内部の高湿化を防止できる。
【００２２】
なお、本発明は上記実施の形態の記載に限定されず、種々変更して実施可能である。例えば、被梱包物への塵や埃などの付着をより適切に防ぐため、梱包材に２枚の多孔質フィルムを備えるフィルターを適用しても良い。図３は、フィルターの変形例を示す断面模式図である。図３に示すフィルター１３は、両端部に開口部１３１ａ，１３１ｂを有する円筒状の筐体１３１を備えている。
【００２３】
筐体１３１の開口部１３１ａには、開口部１３１ａを塞ぐ多孔質フィルム１３２が設けられており、筐体１３１の開口部１３１ｂには、開口部１３１ｂを塞ぐ多孔質フィルム１３４が設けられている。筐体１３１内において、多孔質フィルム１３２，１３４で挟まれる領域には、除湿層１３３が配置されている。すなわち、変形例に係るフィルター１３は、上記実施の形態のフィルター１２のネット１２４を多孔質フィルム１３４に置き換えた構成を有している。このフィルター１３は、筐体１３１の両端部にそれぞれ多孔質フィルム１３２，１３４を備えるので、２枚の多孔質フィルムによって袋体１１内への塵や埃などの進入をより適切に防ぐことができる。
【００２４】
上記実施の形態では、多孔質フィルムと除湿層とを有するフィルターを袋体に設けた梱包材を示しているが、梱包材の構成はこれに限られない。例えば、袋体に替えて、プラスチックや金属などで構成された気密性のあるハードケースにフィルターを取り付け、梱包材としても良い。
【００２５】
また、上記実施の形態では、１個のフィルターを備える梱包材を例示しているが、フィルターの数は任意である。また、上記実施の形態では、円筒状の筐体を有するフィルターを例示しているが、フィルターの形状も限定されない。ただし、適切な除湿を実現するためには、十分な高さを有する形状とするのが望ましい。また、多孔質フィルムやネットの表側（除湿層とは反対側）に剥離可能な通気性のないシールを貼着しておき、使用の際にシールを剥がすようにしても良い。この構成では、使用前における除湿層の劣化を防止できる。
【産業上の利用可能性】
【００２６】
本発明は、精密機器などを梱包する際に有用である。
【符号の説明】
【００２７】
１  梱包材
２  被梱包物
１１  袋体
１２，１３  フィルター
１１１  通気孔
１２１，１３１  筐体
１２１ａ，１２１ｂ，１３１ａ，１３１ｂ  開口部
１２１ｃ  外周部
１２２，１３２，１３４  多孔質フィルム
１２３，１３３  除湿層
１２４  ネット
【図１】
2014141260.tif 000003
【図２】
2014141260.tif 000004
【図３】
2014141260.tif 000005